(57)【要約】【課題】  横桟の上限本数の大きい跳ね上げ門扉を提供する。【解決手段】  上枠と、下枠と、縦枠と、縦中残と、横桟を備え、上枠は、正面側に段部を有していて、縦枠に固定された略Ｌ字状の連結具に内周側からネジ止めされており、下枠は、正面側に段部を有していて、縦枠に固定された略Ｌ字状の連結具に内周側からネジ止めされており、縦中桟は、上下端部の正面側壁を上枠と下枠の段部の背面側壁に背面側からネジ止めされていて、背面側に目板を有しており、目板は、縦中桟と上枠及び下枠とを固定しているネジを隠しており、横桟は、縦中桟と縦枠に背面側からネジ止めされている。【選択図】      図１
2020084454.tif 000002
【特許請求の範囲】
【請求項１】
上枠と、下枠と、縦枠と、縦中残と、横桟を備え、
上枠は、正面側に段部を有していて、縦枠に固定された略Ｌ字状の連結具に内周側からネジ止めされており、
下枠は、正面側に段部を有していて、縦枠に固定された略Ｌ字状の連結具に内周側からネジ止めされており、
縦中桟は、上下端部の正面側壁を上枠と下枠の段部の背面側壁に背面側からネジ止めされていて、背面側に目板を有しており、目板は、縦中桟と上枠及び下枠とを固定しているネジを隠しており、横桟は、縦中桟と縦枠に背面側からネジ止めされていることを特徴とする跳ね上げ門扉。
【発明の詳細な説明】
【技術分野】
【０００１】
本発明は、扉体の上下方向の回動によって開閉を行う跳ね上げ門扉に関するものである。
【背景技術】
【０００２】
従来、跳ね上げ門扉の扉体は、その重量の上限が規定されていることから、扉体に取り付け可能な横桟の本数に制限があり、横桟同士の間隔が疎らになってしまうといった問題があった。
【非特許文献１】ラビーネ３型  三協立山株式会社  ＥＸ総合カタログ  2018-2019  STX1175A  p. 1177
【発明の概要】
【発明が解決しようとする課題】
【０００３】
本発明は上記の点に鑑み、横桟の上限本数の大きい跳ね上げ門扉を提供することを目的とする。
【課題を解決するための手段】
【０００４】
本発明の跳ね上げ門扉は、上枠と、下枠と、縦枠と、縦中残と、横桟を備え、上枠は、正面側に段部を有していて、縦枠に固定された略Ｌ字状の連結具に内周側からネジ止めされており、下枠は、正面側に段部を有していて、縦枠に固定された略Ｌ字状の連結具に内周側からネジ止めされており、縦中桟は、上下端部の正面側壁を上枠と下枠の段部の背面側壁に背面側からネジ止めされていて、背面側に目板を有しており、目板は、縦中桟と上枠及び下枠とを固定しているネジを隠しており、横桟は、縦中桟と縦枠に背面側からネジ止めされていることを特徴とする。
【発明の効果】
【０００５】
本発明の跳ね上げ門扉によれば、上枠は、縦枠に固定された略Ｌ字状の連結具に内周側からネジ止めされており、下枠は、縦枠に固定された略Ｌ字状の連結具に内周側からネジ止めされており、縦中桟は、上下端部の正面側壁を上枠と下枠の段部の背面側壁に背面側からネジ止めされていて、背面側に目板を有しており、横桟は、縦中桟と縦枠に背面側からネジ止めされていることで、タッピングホールを使用せずに上下枠、縦枠、縦中桟及び横桟を互いに固定できるので、上下枠、縦枠、縦中桟が軽量化でき、横桟の上限本数を増加できる。また、上下枠、縦枠、縦中桟、及び横桟を互いに固定して扉体を組み立てる作業は、扉体を地面に寝かせた状態で背面側から行えるので、作業性に優れる。さらに、上下枠と縦中桟とを固定しているネジが目板によって隠されているため、意匠性が良い。
【図面の簡単な説明】
【０００６】
【図１】（ａ）は図３のＢ−Ｂ線断面図、（ｂ）は図３のＣ−Ｃ線断面図である。
【図２】扉体の正面図である。
【図３】図２のＡ−Ａ線断面図である。
【図４】（ａ）は連結具の、（ｂ）は固定具の取付状態を示す斜視図である。
【図５】連結具の（ａ）正面図、（ｂ）下面図、（ｃ）側面図、固定具の（ｄ）平面図、（ｅ）側面図、（ｆ）背面図である。
【図６】背面側から見た、扉体の組立手順の説明図である。
【図７】背面側から見た、扉体の組立手順の説明図である。
【発明を実施するための形態】
【０００７】
以下、本発明の実施の形態を図面に基づいて説明する。なお、以下の好ましい実施形態の説明は例示に過ぎず、本発明、その適用物あるいはその用途を制限することを意図するものではない。図１乃至図７は、本発明に係る跳ね上げ門扉の一実施例を説明するためのものであり、図２は、跳ね上げ門扉の扉体１の全体構造を示す正面図である。すなわち、図２に示す扉体１は、地上に立設された左右一対の支柱（図示なし）にアーム１００によって回動自在に支持されるものであって、左右一対の縦枠２，２を有し、両縦枠２間には、略上端部及び略下端部に上枠３及び下枠４が、上下方向中間部には複数本の横桟５がそれぞれ架設されている。なお、以下の説明で正面側及び背面側とは、図１及び図３に示した通りとし、内周側及び外周側とは、上下枠及び縦枠による枠組みの内周側及び外周側を指すものとする。上枠３、下枠４及び横桟５には、背面側から複数本の縦中桟６が取り付けられている。縦中桟６の背面側には、縦中桟６と上枠３及び下枠４とを固定しているネジ６１ｂ，６１ｃ及び、縦中桟６と横桟５とを固定しているネジを隠すための目板６２が取り付けられている。
【０００８】
縦枠２と、上枠３及び下枠４とは、図４及び図５に示す断面略Ｌ字状の連結具７によって互いに固定されている。連結具７は、それぞれ平板状でネジ孔を有する基部７１と立上り壁７２とがＬ字状に連結されて構成されている。
【０００９】
縦中桟６の目板６２の上下端部と、上枠３及び下枠４とは、図４及び図５に示す固定具８によって互いに固定されている。固定具８は、それぞれ長方形平板状の基部８３と、基部８３の一端から垂直に立ち上がった見込壁８１と、見込壁８１の先部側の側部から垂直に伸びている見付壁８２とから構成されている。基部８３は、二つのネジ孔を有する。見付壁８２は、基部８３との間隔を空けて見込壁８１の先部から延出するように設けられており、一つのネジ孔を有する。言い換えると、基部８３と見付壁８２との間には、切欠部８４が形成されている。この切欠部８４は、固定具８が、縦中桟６を上枠３及び下枠４に背面側から固定するネジと干渉しないよう設けられたものである。
【００１０】
図３は、図２のＡ−Ａ線横断面図であり、図１（ａ）は図３のＢ−Ｂ線縦断面図、図１（ｂ）は図３のＣ−Ｃ線縦断面図である。図１乃至図４に示すように、左右の縦枠２は、平面視略長方形状の中空部材であり、内周側見込面２１から扉体の内周側へと延びている平板状の固定壁２２を長手方向に亘り有している。該固定壁２２は、横桟５を縦枠２にネジ止めして固定するためのものであって、背面側にはこのネジを隠すための縦枠目板２３が取り付けられている。縦枠２の上下端部の内周側見込面２１には、連結具７の基部７１内周側からネジ止めされている。なおこのとき、内周側見込面２１の外周側には、縦枠裏板２４が挿入されている。そして、縦枠２の背面側見付壁には、ストッパー２５が取り付けられている。また、縦枠２の上下端部には、キャップ２６がネジ止めされている。
【００１１】
図１乃至図４に示すように、上枠３は、左右の縦枠２の上端部に左右端がそれぞれ当接している中空部材であって、その下端部の正面側には下方へと突出している、略直方体状の段部３１を長手方向に亘って有している。段部３１の背面側壁３１ａには、縦中桟６の上端部が背面側からネジ止めされている。また、段部３１よりも背面側には、ネジ止め部３２が略水平に設けられている。ネジ止め部３２の上面が、連結具７の立上り壁７２の下面に当接した状態で内周側（下側）からネジ止めされていることで、上枠３と左右の縦枠２とが互いに固定されている。そして、上枠３の左右端部には、キャップ３３がネジ止めされている。
【００１２】
図１乃至図４に示すように、下枠４は、左右の縦枠２の下端部に左右端がそれぞれ当接している中空部材であって、その上端部の正面側には上方へと突出している、略直方体状の段部４１を有している。段部４１の背面側壁４１ａには、縦中桟６の下端部が背面側からネジ止めされている。また、段部４１よりも背面側には、ネジ止め部４２が略水平に設けられている。ネジ止め部４２の下面が、連結具７の立上り壁７２の上面に当接した状態で内周側（上側）からネジ止めされていることで、下枠４と左右の縦枠２とが互いに固定されている。そして、下枠４の左右端部には、キャップ４３がネジ止めされている。
【００１３】
図１乃至図４に示すように、縦中桟６は、平面視略長方形状の中空部材である。縦中桟６は、正面側に位置する縦中桟本体６１と、背面側に位置する目板６２とから構成されていて、縦中桟本体６１と目板６２は、ともに長方形平板状の基部６２ａの両端部が垂直に立ち上がった平面視略コの字状であり、互いに対向している。縦中桟本体６１の背面側先部には、左右２箇所の係合凹部６１ａ，６１ａが設けられていて、一方、目板６２の正面側先部には、左右２箇所の係合凸部６２ｂ，６２ｂが設けられており、係合凹部６１ａと係合凸部６２ｂが互いに係合することで、目板６２が縦中桟本体６１に固定されている。縦中桟６の上端部は、その正面側壁が上枠３の段部３１の背面側壁３１ａに当接した状態で背面側からネジ６１ｂによってネジ止めされていて、これにより縦中桟６と上枠３とが互いに固定されている。縦中桟６の下端部は、その正面側壁が下枠４の段部４１の背面側壁４１ａに当接した状態で背面側からネジ６１ｃによってネジ止めされていて、これにより縦中桟６と下枠４とが互いに固定されている。また縦中桟６は、その前面が後述の横桟５のネジ止め部５１に背面側から当接している状態で、背面側からネジ止めされていて、これにより縦中桟６と横桟６とが互いに固定されている。目板６２は、上記の縦中桟６と上枠３及び下枠４とを固定しているネジ及び、縦中桟６と横桟５とを固定しているネジが背面側から見えないよう、覆い隠すためのものである。目板６２の基部６２ａの下端部は、固定具８の見付壁８２に背面側から当接した状態で背面側からネジ止めされており、固定具８の基部８３は、下枠４のネジ止め部４２に上方から当接した状態で、上方からネジ止めされている。目板６２の基部６２ａの上端部は、固定具８の見付壁８２に背面側から当接した状態で背面側からネジ止めされており、固定具８の基部８３は、上枠３のネジ止め部３２に下方から当接した状態で、下方からネジ止めされている。ここで、固定具が切欠部８４を有しているため、縦中桟６の上下端部を上枠３及び下枠４の段部３１，４１に背面側から固定するネジ６１ｂ，６１ｃは、固定具８と干渉することなくネジ止め作業が可能である。
【００１４】
図１乃至図４に示すように、横桟５は、側面視略コの字状の部材であり、その上下方向中央部には、縦枠２と縦中桟６とを背面側からネジ止めするためのネジ孔であるネジ止め部５１を複数有する。ネジ止め部５１のうち、横桟５の左右両端部にあるものが、縦枠２の固定壁２２に正面側から当接した状態で背面側からネジ止めされていることで、横桟５と縦枠２とが互いに固定されている。一方、ネジ止め部５１のうち、横桟５の左右方向中間部にあるものが、縦中桟本体６１に正面側から当接した状態で背面側からネジ止めされていることで、横桟５と縦中桟６とが互いに固定されている。
【００１５】
次に、扉体１の組立方法を図６及び図７に基づいて説明する。なお、図６及び図７は、組立作用を行う場所の床面（または地面）に、背面側を上にして寝かせた扉体を上から見た図であり、下記の組立作業は全て、扉体を床面に寝かせた状態で背面側（上方）から行う。まず、上枠３及び下枠４に、固定具８の基部８３をネジ止めする。次いで、図６（ａ）のように床面に複数の横桟５を並べた後、横桟５の上に縦中桟本体６１を配置し、横桟５のネジ止め部５１に縦中桟本体６１を背面側からネジ止めする。そして、縦中桟本体６１を上枠３及び下枠４の段部３１，４１にネジ６１ｂ，６１ｃで背面側からネジ止めする。次に、図６（ｂ）のように縦枠２に縦枠裏板２４と、連結具７の基部７１とを内周側からネジ止めする。そして、連結具７の立上り壁７２を上枠３及び下枠４のネジ止め部３２，４２に内周側からネジ止めする。つまり、縦枠２と上枠３及び下枠４とが、連結具７を介してネジ止めされる。その後、縦枠２の固定壁２２を、横桟５の左右端部のネジ止め部５１に背面側からネジ止めする。次いで、図６（ｃ）のように目板６２の係合凸部６２ｂを縦中桟本体６１の係合凹部６１ａに係合させたのち、目板６２を固定具８の見付壁８２に背面側からネジ止めする。そして、縦枠２の固定壁２２に縦枠目板２３を背面側からネジ止めする。次に、図７（ａ）のように縦枠２にアームヒンジ裏板１００ａ及び、調整おもり１００ｂをネジ止めする。そして、縦枠２の上下端部にキャップ２６をネジ止めする。次いで、図７（ｂ）のように上枠３及び下枠４の左右端部にキャップ３３，４３をネジ止めする。最後に、図７（ｃ）のように縦枠２にストッパー２５を取り付ける。なお、ストッパー２５は縦枠２だけでなく、下枠４にも取り付けてもよい。以上で扉体１の組立が完了する。
【００１６】
次いで、本発明に係る跳ね上げ門扉の構成による作用及び効果について説明する。上枠３及び下枠４は、縦枠２に固定された略Ｌ字状の連結具７の立上り壁７２に内周側からネジ止めされており、縦中桟６は、縦中桟本体６１の上下端部の正面側壁を上枠３及び下枠４の段部３１，４１の背面側壁３１ａ，４１ａに背面側からネジ止めされていて、背面側には目板６２を有しており、横桟５のネジ止め部５１は、縦中桟６の縦中桟本体６１と、縦枠２の固定壁２２に背面側からネジ止めされている。このような構成により、タッピングホールを使用せずに上枠３、下枠４、縦枠２、縦中桟６及び横桟５を互いに固定できるので、非特許文献１に記載のタッピングホールを使用した跳ね上げ門扉と比較して、上枠３、下枠４、縦枠２、縦中桟６が軽量化できるので、横桟５の上限本数が増加できる。実際には支柱間寸法5350mm，縦中桟６が５本の場合、上枠３、下枠４、縦枠２、及び縦中桟６の１本当たりの重量がそれぞれ14.8%，20.2%，4.9%，13.8%削減された結果、横桟５の上限本数を従来の４本から８本へと倍増できた。
【００１７】
また、上枠３、下枠４、縦枠２、縦中桟６、及び横桟５を互いに固定して扉体１を組み立てる作業は全て、扉体１を地面に寝かせた状態で背面側から行えるので、作業性に優れる。
【００１８】
そして、固定具８が切欠部８４を有しているため、扉体１を組み立てる作業において、縦中桟６の上下端部を上枠３及び下枠４の段部３１，４１に固定するネジ６１ｂ，６１ｃは、固定具８と干渉することなく背面側からネジ止め作業でき、作業性に優れる。
【００１９】
さらに、縦中桟６と上枠３及び下枠４とを固定しているネジ６１ｂ，６１ｃ及び、縦中桟６と横桟５とを固定しているネジは目板６２によって隠されているため、意匠性に優れる。また、縦枠２の固定壁２２と横桟５のネジ止め部５１と固定しているネジは縦枠目板２３によって隠されているため、意匠性に優れる。
【００２０】
本発明は、上記の実施形態に限らず本発明の要旨を逸脱しない範囲で変形可能であり、跳ね上げ門扉の各部の形状、寸法等は適宜変更できる。例えば、縦中桟の本数は複数でなくともよい。
【符号の説明】
【００２１】
２    縦枠
３    上枠
３１  段部
４    下枠
４１  段部
５    横桟
６    縦中桟
６２  目板
７    連結具
【図１】
2020084454.tif 000003
【図２】
2020084454.tif 000004
【図３】
2020084454.tif 000005
【図４】
2020084454.tif 000006
【図５】
2020084454.tif 000007
【図６】
2020084454.tif 000008
【図７】
2020084454.tif 000009